(57)【要約】【課題】  吊り具の位置には関係なく、軒樋端部から軒樋全体にわたり容易に網状シートを挿入でき、軒樋全体にわたり落ち葉等が入るのを防止でき、軒樋内の掃除がし易い軒樋止まりを提供する。【解決手段】  軒樋の端部を止水するための軒樋止まりであって、開口部が設けられた本体に、開口部を閉塞するための止水扉が開閉可能に取着されてなる。【選択図】  図１
2006183321.tif 000002
【特許請求の範囲】
【請求項１】
軒樋の端部を止水するための軒樋止まりであって、開口部が設けられた本体に、開口部を閉塞するための止水扉が開閉可能に取着されてなることを特徴とする軒樋止まり。
【発明の詳細な説明】
【技術分野】
【０００１】
本発明は、軒樋内を掃除し易くし、あるいは落ち葉やごみ等が軒樋内に溜まるのを防止するための軒樋に用いられる軒樋止まりに関する。
【背景技術】
【０００２】
屋根に落ちた落ち葉が雨水とともに軒樋に流れ込み、集水器に集中して排水を悪くし、軒樋から溢れて外壁など家屋に損傷を与えたりすることを防止するために、雨樋の集水器に金網をかぶせて落ち葉が集水器に入るのを防止する雨どいの目詰まり防止ネットが開示されている（例えば、特許文献１）。
【０００３】
上記公報に記載の雨どいの目詰まり防止ネットは、十字形の金網に針金又は止め具を付け、この金網の上下の部分が雨樋の集水器にまたがり、左右の部分が樋にまたがるように雨樋の集水器にかぶせるものである。
【０００４】
上記公報に記載の目詰まり防止ネットは、軒樋の集水器の上から被せられるので、落ち葉が集水器に直接入ることは防止できる。しかし、軒樋に入った落ち葉等は集水器に向かって流れ、集水器付近に堆積することは防止できない。
【０００５】
また、図４に示すように、軒樋４１内に網状シート６を丸めて配置することにより、軒樋４１内に落ち葉が入るのを防止することも行われている。軒樋４１は通常、吊り具５によって支持されているので、軒樋４１の上から長尺の網状シート６を軒樋４１内に配置するためには、吊り具５の場所で網状シート６を切り除くか、または、軒樋４１端部に設けられた軒樋止まり２０と吊り具５の間から吊り具５の下をくぐらせて網状シート６を挿入する方法が行われる。
【０００６】
【特許文献１】特開平１０−２０５０８３号公報
【発明の開示】
【発明が解決しようとする課題】
【０００７】
上記従来の方法では、吊り具５の位置で網状シート６を切り除く作業は高所での作業であり、非常に手間を要する。また、図４に示したように、軒樋４１端部から吊り具５の下をくぐらせて挿入するには、軒樋４１端部にある軒樋止まり２０に遮られるので、丸めた網状シート６を曲げながらの挿入作業がし辛いといった問題があった。
【０００８】
本発明は、吊り具の位置には関係なく、軒樋端部から軒樋全体にわたり容易に網状シートを挿入でき、軒樋全体にわたり落ち葉等が入るのを防止でき、軒樋内の掃除がし易い軒樋止まりを提供することを目的とする。
【課題を解決するための手段】
【０００９】
本発明の軒樋止まりは、軒樋の端部を止水するための軒樋止まりであって、開口部が設けられた本体に、開口部を閉塞するための止水扉が開閉可能に取着されてなることを特徴とする。
【発明の効果】
【００１０】
本発明の軒樋止まりによれば、開口部が設けられた本体に、該開口部を閉塞するための止水扉が開閉可能に取着されてなるので、止水扉を閉じると開口部が遮蔽され、軒樋内の水が開口部から流れ出ることがない。また、止水扉を開くと、軒樋を支持する吊り具の位置に関係なく、丸めた網状シートを開口部を通して軒樋内へ挿入したり抜き出したりすることができる。また、必要に応じて止水扉を開いて、網状シートを開口部から抜き出して掃除することも簡単に行うことができる。網状シートを使用すると軒樋全体にわたり落ち葉等が入るのを防止でき、また、止水扉を開けば軒樋内に溜まった落ち葉やごみを容易に掃きだすことができる。
【発明を実施するための最良の形態】
【００１１】
次に、本発明の実施の形態を図面を参照して説明する。
図１は本発明の軒樋止まり１０の実施例を示す斜視図であり、図２は軒樋の端部に軒樋止まりの本体を取着し、開口部を通して軒樋内に網状シート挿入する状態を示す斜視図。図３は軒樋に本発明の軒樋止まりを用いた実施例を示す斜視図である。
【００１２】
図１に示すように、本発明の軒樋止まり１０は、開口部１２が設けられた本体１と、止水扉２とからなる。また、本体１の内径は軒樋４と嵌合できる形状になされている。
【００１３】
本体１の両側縁及び下部には軒樋の外周面に沿う形状を有する板材よりなる軒樋接続部１１が設けられている。更に、軒樋の端部に当接する側面には開口部１２が設けられている。
【００１４】
開口部１２が設けられた側面には止水扉２が蝶番１４で開閉可能に取着されている。軒樋止まり１０は、塩化ビニル樹脂等で成形され、嵌合後に軒樋４と接着固定されている。
【００１５】
本体１側面に設けられた開口部１２は、図２に示す丸めた網状シート６を軒樋４内へ挿入できる大きさになされている。開口部１２の形状は本実施例では略半円形であるが、四角形等任意のものであってもよい。
【００１６】
止水扉２の形状は、上記本体１に設けられた開口部１２よりもやや大きい相似形になされている。止水扉２は略半円形の外形の板片で形成され、本体１に接する側にゴムパッキング２１を介して本体１の開口部１２に取着されている。
【００１７】
止水扉２は、軒樋４内に網状シート６を出し入れしたり、軒樋４内を掃除する場合以外は、水の流出を防止するために開口部１２を塞ぐものであり、本体１との取着面には水密性を確保するため、ゴムパッキング等のシール材が設けられていることが好ましい。
【００１８】
止水扉２は本体１に開閉可能に取り付けられていればよく、例えば、蝶番式扉やスライド式扉であってもよい。
【００１９】
図２は軒樋４に網状シート６を挿入した状態を示している。軒樋４の端部の止水扉２が開いた状態で軒樋止まり１０の本体１が接着剤で取着されている。網状シート６を丸めて本体１の開口部１２から吊り具５の下をくぐらせて軒樋４内に挿入するようになされている。
【００２０】
網状シート６を軒樋４内に挿入する際、本体１の開口部１２の開口より挿入するので、網状シート６を曲げることなく、吊り具５の位置にも関係なく容易に挿入できるようになされている。
【００２１】
図３に示すように、軒樋４内に網状シート６が挿入された後、止水扉２が閉じられて開口部１２が閉塞される。
【００２２】
上記のように軒樋止まり１０を用いると、必要に応じて止水扉２を開いて、網状シート６を開口部１２から抜き出して容易に軒樋４内の掃除をすることができる。
【図面の簡単な説明】
【００２３】
【図１】本発明の軒樋止まりの実施例を示す斜視図。
【図２】軒樋の端部に軒樋止まりの本体を取着し、軒樋内に網状シート挿入する状態を示す斜視図。
【図３】軒樋に本発明の軒樋止まりを用いた実施例を示す斜視図。
【図４】従来の軒樋止まりを使用した状態を示す斜視図。
【符号の説明】
【００２４】
１          本体
２          止水扉
３          ねじ
４、４１    軒樋
５          吊り具
６          網状シート
１０        軒樋止まり
１１        軒樋接続部
１２        開口部
１４        蝶番
２０        軒樋止まり
２１        ゴムパッキング
【図１】
2006183321.tif 000003
【図２】
2006183321.tif 000004
【図３】
2006183321.tif 000005
【図４】
2006183321.tif 000006